(57)【要約】  本発明は、熱膨張および熱収縮を受けるタンクの底に配置された支持体に関する。該支持体は、タンクの底に接触しているブロック（１）と、ブロック（１）に対するタンクの水平方向の移動を阻止するために配置された手段（３−５）と、を備えており、前記手段は、タンクの前記底およびブロック（１）の一方に配置されたリブ（５）と、前記底およびブロック１の他方における対応する溝（４）とを備えている。
2013509550.tif 000002
【特許請求の範囲】
【請求項１】
熱膨張および熱収縮を受けるタンクの底に配置された支持体であって、前記タンクの前記底に接触しているブロック（１）と、前記ブロック（１）に対する前記タンクの水平方向の移動を阻止するために配置された手段（３−５）とを備えている支持体において、前記手段は、前記タンクの前記底および前記ブロック（１）の一方に配置されたリブ（５）と、前記底および前記ブロック１の他方における対応する溝（４）とを備えている、ことを特徴とする支持体。
【請求項２】
前記リブ（５）は、前記タンクの前記底から懸垂しており、ブロック（１）の溝（４）内に延在している、ことを特徴とする請求項１に記載の支持体。
【請求項３】
前記リブ（５）は、ブロック（１）から前記タンクの前記底の溝（４）内に延在している、ことを特徴とする請求項１に記載の支持体。
【請求項４】
前記リブ（５）は、前記タンクの前記底の１つの要素の一部を成しており、該１つの要素は、隣接要素に対する溶接部を有しており、該溶接部は、前記リブ（５）から離間している、ことを特徴とする請求項２に記載の支持体。
【請求項５】
前記リブ（５）は、前記底の圧延または押出成形によって形成された一部である、ことを特徴とする請求項２，４に記載の支持体。
【発明の詳細な説明】
【技術分野】
【０００１】
本発明は、低温液化天然ガスを含む炭化水素のような流体を貯蔵および運搬するためのタンクに関する。このようなタンクの例として、船舶用タンク、波荷重を受ける浮遊式海洋構造物用タンク、および重力式海洋構造物用タンク、ならびに地震に晒される陸上タンクが挙げられる。
【背景技術】
【０００２】
タンクは、多くの異なる形状、例えば、一般的には、球、円筒、円錐、およびシェルの形状、ならびに角柱形状に設計されている。角柱形状の主な利点は、入れ子式に互いに近接させて重ねることによって、このようなタンクが占める容積を最小限にすることができることにある。
【０００３】
このようなタンクは、さまざまな種類の材木または同様の材料によって支持されることがある。このような支持体をタンクの底に固定するための現在の技術では、ガイドレールを溶接によって取り付けるようになっている。材料によっては、溶接部が母材よりも著しく低い強度を有しており、該母材の十分な活用を阻害することがある。また、溶接部は、疲労を受けやすい。亀裂が溶接部に生じて、成長し、シェルの肉厚部内に伝搬するのを回避するために、パネルを作製するＨ型ビームとして、ウエブに溶接部を有していないＨ型ビームを用いるように、設計が行われている。
【０００４】
特許文献１は、ＬＮＧタンクの支持構造を開示している。底支持体は、ガイドレールによって拘束されている。しかし、これらのガイドレールがいかにタンクの底に固定されているについての記述が見られない。
【０００５】
特許文献２は、ＬＮＧを運搬するためのタンクを開示している。タンクの底と船殻の床との間の支持体は、「支持チョック（support chock）」と記載されているにすぎず、支持体がいかにタンクに固定されているのか、または支持体がタンクに固定されているのかどうかについての記述が見られない。
【先行技術文献】
【特許文献】
【０００６】
【特許文献１】米国特許第５，５３１，１７８号明細書
【特許文献２】国際特許出願公開第２００８／１３３７８５号パンフレット
【発明の概要】
【発明が解決しようとする課題】
【０００７】
本発明の目的は、前述した溶接部に関する問題を回避することができるタンク用支持体を提供することにある。
【課題を解決するための手段】
【０００８】
本発明の目的は、タンク底のリブに適合する溝、またはその逆にタンク底の溝に適合するリブを有する溶接されたボックス状容器内に、支持ブロックを固定することによって、達成されている。これによって、タンクの底構造への溶接が回避されることになる。材料によっては、溶接部の強度が劣ることがある。また、溶接部は、疲労亀裂を極めて受けやすく、該亀裂が肉厚部内に伝搬し、漏れを生じさせることがある。一方、母材は、疲労および亀裂伝搬を極めて受けにくい。本発明は、さらに、以下のように特定されるものである。
【０００９】
熱膨張および熱収縮を受けるタンクの底に配置された支持体は、タンクの底に接触しているブロックと、ブロックに対するタンクの水平方向の移動を阻止するために配置された手段と、を備えており、前記手段は、タンクの前記底およびブロックの一方に配置されたリブと、前記底およびブロックの他方における対応する溝とを備えている。
【００１０】
本発明の一実施形態では、前述のリブは、タンクの底から懸垂しており、ブロックの溝内に延在している。
【００１１】
本発明の一実施形態では、前述のリブは、ブロックからタンクの底の溝内に延在している。
【００１２】
本発明の一実施形態では、前述のリブは、タンクの底の１つの要素の一部を成しており、該１つの要素は、隣接要素に対する溶接部を有しており、該溶接部は、リブから離間している。
【００１３】
本発明の一実施形態では、前述のリブは、前記底の圧延または押出成形によって形成された一部である。
【００１４】
以下、添付の図面に概略的に示されている例示的実施形態を参照して、本発明のさらなる詳細について説明する。
【図面の簡単な説明】
【００１５】
【図１】支持体の断面を示す図である。
【図２】図１の断面の細部を示す図である。
【図３】リブおよび溝の配置が逆になっている、支持体の代替的実施形態の断面を示す図である。
【図４】タンクの底においてタンクから隆起している支持体の等角図である。
【発明を実施するための形態】
【００１６】
図１は、支持体の断面を示している。支持ブロック１は、木材、積層木材、または他の適切な材料から作製されている。支持体は、船殻に溶接されたブラケットまたはレール２によって拘束されている。支持ブロックの上部は、ブラケット６を含む板から組み立てられたボックス３の内側に閉じ込められている。ボックスは、溝４を備えており、該溝４内に、リブ５が固定されることになる。リブ５は、タンクの底構造を形成する板または形材の一部として圧延または押出成形によって形成されているとよい。これは、タンクの底に溶接する必要のない母材構造細部をもたらすことになる。
【００１７】
図２は、リブ５および溝４の周囲の細部を示している。
【００１８】
図３は、リブ５および溝４の配置が逆になっている、支持体の代替的実施形態の断面を示している。
【図１】
2013509550.tif 000003
【図２】
2013509550.tif 000004
【図３】
2013509550.tif 000005
【図４】
2013509550.tif 000006
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
熱膨張および熱収縮を受けるタンクであって、前記タンクは、前記タンクの底に配置された支持体を備えており、前記支持体は、前記タンクの前記底に接触しているブロック（１）と、前記ブロック（１）に対する前記タンクの水平方向の移動を阻止するために配置された手段（３−５）とを備えており、前記手段は、前記タンクの前記底および前記ブロック（１）の一方に配置されたリブ（５）と、前記底および前記ブロック（１）の他方における対応する溝（４）とを備えている、タンクにおいて、前記タンクの前記底における前記リブ（５）または前記溝（４）は、前記底の母材に形成されており、前記底の溶接部から離間されている、ことを特徴とするタンク。
【請求項２】
前記リブ（５）は、前記タンクの前記底から懸垂しており、前記ブロック（１）の溝（４）内に延在している、ことを特徴とする請求項１に記載のタンク。
【請求項３】
前記リブ（５）は、前記ブロック（１）から前記タンクの前記底の溝（４）内に延在している、ことを特徴とする請求項１に記載のタンク。
【請求項４】
前記リブ（５）は、前記タンクの前記底の１つの要素の一部を成しており、該１つの要素は、前記タンクの隣接要素に対する溶接部を有しており、該溶接部は、前記リブ（５）から離間している、ことを特徴とする請求項２に記載のタンク。
【請求項５】
前記リブ（５）は、前記底の圧延または押出成形によって形成された一部である、ことを特徴とする請求項２，４に記載のタンク。
【国際調査報告】
2013509550.tif 000007
2013509550.tif 000008